(57)【特許請求の範囲】
【請求項１】
入力信号の１フィールドを、所定の輝度重み付けを有する複数のサブフィールドに分割して多階調表示を行う画像表示装置であって、
前記入力信号の表示が静止画像表示の場合、前記サブフィールドのうち、輝度重み付けが最大のサブフィールドは、１フィールドの前方及び後方に、分散して配置され，
前記入力信号の表示が動画像表示の場合、輝度重み付けが最大のサブフィールドは、１フィールド中に連続して配置されることを特徴とする多階調画像表示装置。
【請求項２】
前記輝度重み付けが最大のサブフィールドが、１フィールド期間のほぼ２分の１の期間を隔てて配置されることを特徴とする請求項１に記載の多階調画像表示装置。
【請求項３】
前記輝度重み付けが最大のサブフィールドが、１フィールドに２個配置されることを特徴とする請求項１または請求項２に記載の多階調画像表示装置。
【請求項４】
前記輝度重み付けが最大のサブフィールドの１フィールドにおけるオンまたはオフは、一致することを特徴とする請求項２または請求項３に記載の多階調表示装置。
【請求項５】
前記入力信号の上位４ビットに対応する輝度重み付けを有するサブフィールドは、１フィールドの前方及び後方に分散して配置されることを特徴とする請求項１から請求項４いずれかに記載の多階調画像表示装置。
【請求項６】
同一の輝度重み付けを有する、前記上位４ビットに対応する輝度重み付けを有するサブフィールドの１フィールドにおけるオンまたはオフは、一致することを特徴とする請求項５に記載の多階調画像表示装置。
【請求項７】
前記輝度重み付けが最大であるサブフィールドが、１フィールドの中央にさらに配置されることを特徴とする請求項１に記載の多階調画像表示装置。
【請求項８】
前記輝度重み付けが最大であるサブフィールドより輝度重み付けが小さいサブフィールドは、輝度重み付けが最大であるサブフィールドに挟みこまれて配置されることを特徴とする請求項１から請求項７いずれかに記載の多階調画像表示装置。
【請求項９】
前記入力信号のレベルの増加に応じて、前記連続して配置されるサブフィールドのうち、前方にあるサブフィールドから順次オンになることを特徴とする請求項１〜８の何れかに記載の多階調画像表示装置。
【発明の詳細な説明】
【０００１】
【発明の属する技術分野】
本発明は、プラズマディスプレイ装置など、画像の１フィールド分を、複数のサブフィールドの画像に分割して表示して多階調表示を行う表示装置において、静止画像および動画像の表示を良好に行う多階調画像表示装置に関する。
【０００２】
【従来の技術】
従来、画像の１フィールド分を、複数のサブフィールドの画像に分割して表示して多階調表示を行う表示装置、例えばプラズマディスプレイ装置を用いて階調表示を行う場合、動画像表示においていわゆる疑似輪郭状の階調乱れが発生することが知られている。
【０００３】
図９を用いてこの動画表示時の疑似輪郭の発生を説明する。図９は、レベル１５およびレベル１６の２つのレベルが隣接したパターンをもつ画像（図１０にその例を示す）を表示した場合およびこの隣接パターンが平行移動したパターンを追従した時に観測される様子を示している。
【０００４】
入力画像の１フィールドを複数のサブフィールドに分割して階調表示を行う表示装置では、静止画像を表示した場合、観測される画像の１フィールドの平均輝度は図９のＡ−Ａ’間の発光の積分で表わされ、正しく階調表示がなされる。
【０００５】
一方、動画像を表示した場合、視線の移動の方向により網膜上には図９のＢ−Ｂ’間またはＣ−Ｃ’間の発光の積分が観測される。Ｂ−Ｂ’間では各ビットを合成した値はほぼ０になり、また、Ｃ−Ｃ’間の各ビットの合計はほぼ３１になる。
【０００６】
このように、レベル１５およびレベル１６の２つのレベルが隣接した部分を観測した場合、レベル変化部分では図９に示すように観測される輝度レベルが画像の動きによって著しく乱れる。
【０００７】
なお、図９では各サブフィールド毎に発光が所定の幅で連続して行われているように描かれているが、実際のプラズマディスプレイでは、各サブフィールドは各々の輝度重み付けに応じた回数のパルス発光の集合から成っているが、動画像表示時の階調乱れは本質的には同様である。
【０００８】
このように、各サブフィールドの輝度の時間方向の積分で中間調を表現しようとしているため、動画像などで視線が移動した場合は、時間の経過とともに本来の画素位置とは異なる位置の画像のそれぞれのビットの重みを積分することになり、中間調表示が大きく乱れることになる。
【０００９】
なお、この中間調の乱れは画像に偽の輪郭が現れるように認識されるため、以下動画疑似輪郭と表記する。
【００１０】
この動画疑似輪郭を軽減する試みとして、従来の多階調画像表示装置においては、上位の複数ビットに対応するサブフィールドの輝度重みを分割し、さらに分散配置して構成することによって動画像表示における中間調表示乱れを軽減しようとする試みがなされている。
【００１１】
図１１はこの従来の方法による動画疑似輪郭の軽減方法におけるサブフィールド構成であり、１０サブフィールドを用いて８ビット階調すなわち２５６階調を表示しようとするものである。
【００１２】
各サブフィールドの輝度重み付けは、順に、４８、４８、１、２、４、８、１６、３２、４８、４８となっている。元の入力画像信号の上位２ビット６４、１２８がもつ輝度重みが４分割されて、サブフィールドの両端に分散配置されており、最上位ビットの重みを小さくして、中間調乱れの発生をできるだけ抑えようとするとともに、サブフィールドの始めと終りに重みの大きいサブフィールドを分散して配置することで、動画像を表示した時に観測される画像にボケを発生させ、動画疑似輪郭を目立たなくしようとするものである。
【００１３】
【発明が解決しようとする課題】
図１１に示すように、従来の多階調画像表示装置においては、最も輝度重み付けの大きいサブフィールドが１フィールドの前半と後半とに分散して配置されている。このため、両端に離れて配置された「輝度重み＝４８」の４つのサブフィールドは、合計で１９２の輝度重みを形成しており、全輝度重みの大部分を占める。
【００１４】
従って画像の明暗の主要情報は１フィールドの前半と後半に時間的に離れて繰り返して表示される。従って画像を表示して視線が追従した場合、観測される画像は、時間的に離れた画像成分の合成となり、結果として動画像部分は画像ボケが発生していた。このため、移動する細かな文字が二重になって判読できなくなるという画質低下をきたすという課題を有していた。また、静止画像を表示した場合、特に大面積の高輝度部分が存在する画像では、１フィールド内の後半の２個の輝度重み＝４８による発光は次のフィールドの前半部分の２個の輝度重み＝４８による発光と時間的に近接して発光するため、高輝度部分では１フィールドに１回のフリッカとして知覚されやすいという課題を有していた。
【００１５】
このように、従来のサブフィールド構成による表示装置では動画疑似輪郭の低減と動画ボケの両立が困難であり、また静止画像表示においてフリッカを知覚されやすいという課題があった。
【００１６】
【課題を解決するための手段】
前記課題を解決するために、本発明の多階調画像表示装置は、入力信号の１フィールドを、所定の輝度重み付けを有する複数個のサブフィールドに分割し、前記各サブフィールドのオン制御またはオフ制御の組み合わせによって多階調表示を行う画像表示装置において、前記入力信号の表示が動画像を主体とする場合および静止画像を主体として表示する場合のそれぞれに応じて、前記各サブフィールドの輝度重みおよび前記各サブフィールドの順序を制御して表示することを特徴とする。
【００１７】
また、本発明の多階調画像表示装置は、各サブフィールドの輝度重みおよび前記各サブフィールドの順序が、入力信号の表示が静止画像を主体とする場合に、前記各サブフィールドのうち輝度重みが比較的大であるサブフィールドを１フィールドの前方および後方に配置し、輝度重みが比較的小であるサブフィールドを１フィールドの中央部に配置するよう制御したことを特徴とする。
【００１８】
また、本発明の多階調画像表示装置は、前記入力信号の表示が静止画像を主体とする場合に、前記各サブフィールドのうち輝度重みが比較的大であるサブフィールドを１フィールドの前方および後方の２つのグループに分割し、前記２つのグループのサブフィールドの輝度重みの合計がほぼ等しくなるよう配置したことを特徴とする。
【００１９】
また、本発明の多階調画像表示装置は、前記各サブフィールドが、前記入力信号の表示が静止画像を主体とする場合に、前記各サブフィールドのうち輝度重みが最大であるサブフィールドを１フィールドの所定の位置にほぼ１フィールド期間の２分の１の期間を隔てて２個配置し、前記２個のサブフィールドのオンまたはオフ制御は一致して行われることを特徴とする。
【００２０】
また、本発明の多階調画像表示装置は、前記入力信号の表示が静止画像を主体とする場合に、前記各サブフィールドのうち比較的大きい輝度重みを有するサブフィールドのうち、同一の輝度重みを有するサブフィールドを１フィールド期間内の所定の位置にほぼ等間隔の期間で配置したことを特徴とする。
【００２１】
また、本発明の多階調画像表示装置は、前記入力信号の表示が静止画像を主体とする場合に、前記各サブフィールドのうち輝度重みが比較的大であるサブフィールドを１フィールドの前方、中央、および後方に分散配置し、輝度重みが比較的小であるサブフィールドを前記輝度重みが比較的大きいサブフィールドに挟み込んで配置する制御であることを特徴とする。
【００２２】
また、本発明の多階調画像表示装置は、前記各サブフィールドの輝度重みおよび前記各サブフィールドの順序の制御が、前記入力信号の表示が動画像を主体とする場合に、前記各サブフィールドのうち輝度重みが比較的大であるサブフィールドを集中して配置する制御であることを特徴とする。
【００２３】
本発明によれば、入力信号の表示が動画像を主体とする場合および静止画像を主体として表示する場合のそれぞれに応じて、前記各サブフィールドの輝度重みおよび前記各サブフィールドの順序を制御して表示することを特徴としているので、静止画像を主体とした画像表示においては、フリッカの発生を抑制して表示し、動画像を主体とした画像表示においては、動画疑似輪郭と呼ばれる中間調表示乱れと画像ボケを軽減して表示することができる。
【００２４】
また、本発明によれば、入力信号の表示が静止画像を主体とする場合に、前記各サブフィールドのうち輝度重みが比較的大であるサブフィールドを１フィールドの前方および後方に配置し、輝度重みが比較的小であるサブフィールドを１フィールドの中央部に配置するよう制御しているので、静止画像表示において、輝度が比較的大である画像部分では１フィールドの前半と後半の２回に別れて大部分の発光がなされる。このため、１フィールド内での主要な発光が２回となり、フリッカとして知覚されることが回避できる。
【００２５】
また、本発明によれば、各サブフィールドの輝度重みおよび前記各サブフィールドの順序の制御は、前記入力信号の表示が静止画像を主体とする場合に、前記各サブフィールドのうち輝度重みが比較的大であるサブフィールドを１フィールドの前方、中央、および後方に分散配置し、輝度重みが比較的小であるサブフィールドを前記輝度重みが比較的大きいサブフィールドに挟み込んで配置しているので、輝度が比較的大である画像部分では１フィールドの前半、中央部分、および後半の複数回に別れて大部分の発光がなされる。このため、１フィールド内での主要な発光が２回以上となり、フリッカとして知覚されることが回避できる。
【００２６】
また、本発明によれば、各サブフィールドの輝度重みおよび前記各サブフィールドの順序の制御は、前記入力信号の表示が動画像を主体とする場合に、前記各サブフィールドのうち輝度重みが比較的大であるサブフィールドを集中して配置しているので、全輝度重みの大部分は時間的に集中していることになり、動画像を視線が追従した場合においても、画像ボケの発生が少なく、このため、移動する細かな文字も判読可能となる。
【００２７】
【発明の実施の形態】
本発明の多階調画像表示装置は、入力信号の１フィールドを、所定の輝度重み付けを有する複数個のサブフィールドに分割し、前記各サブフィールドのオン制御またはオフ制御の組み合わせによって多階調表示を行う画像表示装置において、前記入力信号の表示が動画像を主体とする場合および静止画像を主体として表示する場合のそれぞれに応じて、前記各サブフィールドの輝度重みおよび前記各サブフィールドの順序を制御して表示することを特徴とする。
【００２８】
このため、例えばコンピュータ画像の表示時など、静止画像を主体とした画像表示においては、１フィールド内での主たる発光回数を分散して表示するサブフィールド構成を用いることにより、フリッカの発生を抑制するサブフィールド構成を用いて表示することができる。
【００２９】
一方、テレビジョン画像の表示時など動画像を主体とした画像表示においては、フリッカの抑制よりはむしろ動画疑似輪郭と呼ばれる中間調表示乱れの解消を重視して表示するサブフィールド構成を用いて表示したり、または動画像のボケを低減するサブフィールド構成を用いて表示する、といった制御が可能となり、種々の信号源を良好に表示することができる多階調表示装置を提供することができる。
【００３０】
また、本発明の多階調画像表示装置は、各サブフィールドの輝度重みおよび前記各サブフィールドの順序の制御が、前記入力信号の表示が静止画像を主体とする場合に、前記各サブフィールドのうち輝度重みが比較的大であるサブフィールドを１フィールドの前方および後方に配置し、輝度重みが比較的小であるサブフィールドを１フィールドの中央部に配置する制御であることを特徴としている。
【００３１】
このため、静止画像表示において、輝度が比較的大である画像部分では１フィールドの前半と後半の２回で大部分の発光がなされる。また１フィールドの中央部分には輝度重みが比較的小であるサブフィールドが配置されている。輝度重みが小さいサブフィールドであっても一定の期間は発光データのパネルへの書き込み、初期化などが行われ、この期間は発光が停止している。
【００３２】
従って１フィールド内の主要な発光は前半および後半の２回に区切られて行われ、発光の実質的なフィールド当たりの回数が２倍となり、フリッカとして知覚されることが回避されるという効果がある。コンピュータ画像は静止画像部分が比較的多く、フリッカが目立ちやすく、これを回避して表示することは極めて有効である。
【００３３】
また、本発明の多階調画像表示装置は、前記各サブフィールドの輝度重みおよび前記各サブフィールドの順序の制御が、前記入力信号の表示が静止画像を主体とする場合に、前記各サブフィールドのうち輝度重みが比較的大であるサブフィールドを１フィールドの前方、中央、及び後方に分散配置し、輝度重みが比較的小であるサブフィールドを前記輝度重みが比較的大きいサブフィールドに挟み込んで配置している。
【００３４】
このため、１フィールド内の主要な発光は前半、中央部分、および後半の３回以上に区切られて行われ、発光の実質的なフィールド当たりの回数が３倍以上となり、フリッカとして知覚されることが回避されるという効果がある。
【００３５】
コンピュータ画像は静止画像部分が比較的多く、フリッカが目立ちやすく、これを回避して表示することは極めて有効である。
【００３６】
また、本発明の多階調画像表示装置は、前記各サブフィールドの輝度重みおよび前記各サブフィールドの順序の制御が、前記入力信号の表示が動画像を主体とする場合に、前記各サブフィールドのうち輝度重みが比較的大であるサブフィールドを集中して配置する制御であるので、全輝度重みの大部分は時間的に集中していることになり、動画像を視線が追従した場合においても、画像ボケの発生が少なく、このため、移動する細かな文字も判読可能となる。
【００３７】
また、全輝度重みの大部分は、時間的に集中していることにより、入力信号のレベルがわずかに変動した場合でも、発光の主要な部分は時間的に変動が少なくなり、いわゆる動画疑似輪郭の発生が少なくできるという効果をも併せ持っている。
【００３８】
（実施の形態１）
以下に、本発明の実施の形態について図面を用いて説明する。図２において、１は８ビットのディジタル入力画像信号、２は８ビットの入力画像信号を１２ビット信号に変換する読み出し専用メモリ、３は１２ビットで表現されたディジタル信号に対応して１２個のサブフィールドのオンまたはオフを制御をするサブフィールド制御回路である。４は複数サブフィールドによって階調表現が可能なプラズマディスプレイ装置である。
【００３９】
図２において、サブフィールドの順序と各サブフィールドの輝度重み付けは図１および図３に示すような関係であり、これは読み出し専用メモリ２の内容によって決定される。
【００４０】
以上のように構成された画像表示装置では、図１及び図３から分かるように、８ビットのディジタル信号の上位４ビットは２分割され、１２ビット信号に変換され、これに基づいてサブフィールドが構成される。すなわち、入力の画像信号のＭＳＢがＯＮであればサブフィールド７ａおよびサブフィールド７ｂがともにＯＮとなり、それぞれ６４の輝度重みに応じて６４回の発光がなされる。
【００４１】
同様に入力画像の上位から４ビットまでの信号に応じてサブフィールド番号６ａ〜４ａおよぴ６ｂ〜４ｂまでが制御される。一方下位の４ビットは入力画像信号の下位４ビットがそのまま使用される。なお、図３において数値「１」はディジタル信号の「ＯＮ」または「Ｈ」を示す。
【００４２】
このように構成された本実施の形態の多階調画像表示装置では、上位４ビットによる発光パターンは図１の（ａ）および（ｂ）に示すように時間Ｔｍを隔てて分散している。Ｔｍはほぼフィールド周期Ｔ１の２分の１にされており、各サブフィールドによる発光は（ｃ）を介して行われている。（ｃ）による発光輝度は比較的小さいので、上位ビットによる発光は主に（ａ）および（ｂ）の２回に分かれて発光することになる。
【００４３】
従って１フィールド内での発光は入力画像信号のすべての値の範囲で２回の発光となり、フィールド周期Ｔ１が１／６０秒の場合、フリッカ成分は１２０Ｈｚとなり、一般にはフリッカとして知覚されることが防止でき、静止画像表示として極めて有効な手段を提供できる。
【００４４】
（実施の形態２）
以下に、本発明の実施の形態について図面を用いて説明する。図４において、１は８ビットのディジタル入力画像信号、２１は８ビットの入力画像信号を９ビット信号に変換する読み出し専用メモリ、３１は９ビットで表現されたディジタル信号に対応して９個のサブフィールドのオンまたはオフを制御をするサブフィールド制御回路である。
【００４５】
図４において、サブフィールドの順序と各サブフィールドの輝度重み付けは図５に示すような関係であり、これは読み出し専用メモリ２１の内容によって決定される。
【００４６】
以上のように構成された画像表示装置では、図５から分かるように、８ビットのディジタル信号のＭＳＢは２分割されて、９ビット信号に変換され、これに基づいてサブフィールドが構成される。すなわち、入力の画像信号のＭＳＢがＯＮであればサブフィールド７ａおよびサブフィールド７ｂがともにＯＮとなり、それぞれ６４の輝度重みに応じて６４回の発光がなされる。一方下位の７ビットは入力画像信号の下位７ビットがそのまま使用される。なお、サブフィールドの順序および輝度重みを適当な値とすることによって、Ｔａ、Ｔｂ、およびＴｃの値はほぼ等しい値になるようにしている。
【００４７】
このように構成された本実施の形態の多階調画像表示装置では、上位ビットによる発光パターンは図５の（ａ）および（ｂ）に示すように時間（Ｔａ＋Ｔｂ）を隔てて分散している。またセカンドＭＳＢによる発光はＭＳＢによる発光の中間に位置している。このために、入力信号レベルが１２８以上となるような、比較的明るい画像部分では発光は７ａ、６、および７ｂの３つ以上のサブフィールドで発光がなされるため、フリッカ周波数は近似的にフィールド周波数の３倍にすることができ、フリッカとして知覚することが防止できる。
【００４８】
（実施の形態３）
以下に、本発明の実施の形態について図面を用いて説明する。図６において、図２の場合と異なるのは、静止画検出回路５の代わりに動画検出回路５１が設けられている点およびサブフィールドの順序および輝度重みが異なる点である。
【００４９】
図７及び図８から分かるように、連続して配置された、「輝度重み＝３２」のサブフィールドのうち、オンになるサブフィールドは入力画像信号の値の概略値によって決められる。すなわち、入力画像信号レベルが３１以下のときは、「輝度重み＝３２」のサブフィールドのうち、オンになるサブフィールドは０、入力画像信号レベルが３２以上６３以下のときは、先頭の「輝度重み＝３２」のサブフィールドうち、最初の「輝度重み＝３２」のサブフィールドのみオンになる。
【００５０】
以降、入力画像信号レベルが３２増える毎に、先頭から順次オンとなる「輝度重み＝３２」のサブフィールドが後方に延びて行く形で「輝度重み＝３２」のサブフィールドのオン・オフが制御される。一方サブフィールド番号１〜サブフィールド番号５の５つのサブフィールドは、入力画像信号の下位５ビットの値に応じてオン・オフ制御され、階調表示の詳細表現を担う。
【００５１】
このように、入力画像信号の概略値を表す「輝度重み＝３２」のサブフィールドは連続して配置され、かつ入力画像信号の増大に応じて順次オンになるサブフィールドが後方に延びて行く形で制御されており、入力画像信号の信号レベルの増加と「輝度重み＝３２」のサブフィールドの位置関係が単調な関係となることが保証されることになり、画像の動きがある場合にも、動画疑似輪郭の発生レベルを抑制される。
【００５２】
また、本実施の形態によれば、輝度重み付けの大きいサブフィールドが連続して配置されているために、全輝度重みの大部分は時間的に集中していることになり、動画像を視線が追従した場合においても、画像ボケの発生が少なく、このため、移動する細かな文字も判読することができるという効果を有している。
【００５３】
【発明の効果】
以上のように、本発明によれば、次のような効果を奏することができる。
【００５４】
本発明に基づく多階調画像表示装置によれば、入力信号の表示が動画像を主体とする場合および静止画像を主体として表示する場合のそれぞれに応じて、前記各サブフィールドの輝度重みおよび前記各サブフィールドの順序を制御して表示することを特徴としているので、静止画像を主体とした画像表示においてはフリッカの発生を抑制して表示し、動画像を主体とした画像表示においては、動画疑似輪郭と呼ばれる中間調表示乱れと画像ボケを軽減して表示することができる。
【００５５】
本発明に基づく多階調画像表示装置によれば、静止画像表示において、１フィールド内の主要な発光は前半および後半の２回に区切られて行われ、発光の実質的なフィールド当たりの回数が２倍となり、フリッカが回避されるという効果がある。コンピュータ画像などは静止画像部分が比較的多く、フリッカ成分があればが目立ちやすいが、これを回避して表示することができ、良好な画像表示が実現できる。
【００５６】
本発明に基づく多階調画像表示装置によれば、静止画像表示において、１フィールド内の主要な発光は前半、中央部および後半の回以上に区切られて行われ、発光の実質的なフィールド当たりの回数が３倍となり、フリッカが回避されるという効果がある。コンピュータ画像などは静止画像部分が比較的多く、フリッカ成分があればが目立ちやすいが、これを回避して表示することができ、良好な画像表示が実現できる。
【００５７】
本発明に基づく多階調画像表示装置によれば、入力画像が動画像表示を主体した場合に、階調表示を行うために設けた複数のサブフィールドのうち、連続した位置に配置された所定の数のサブフィールドを用いて前記入力画像信号を概略階調表示することになり、入力画像信号の信号レベルを徐々に増加させた場合、隣接したサブフィールドが順次オンさせることができ、このため入力画像信号の信号レベルの滑らかな増加に対して輝度重みの大きいサブフィールドによる発光位置の極端な移動がなく、動画像疑似輪郭の発生を低く抑えることができる。
【００５８】
又、輝度重み付けの大きいサブフィールドが連続して配置されているために、全輝度重みの大部分は時間的に集中していることになり、動画像を視線が追従した場合においても、画像ボケの発生が少なく、このため、移動する細かな文字も判読可能とすることができるという効果を有している。
【図面の簡単な説明】
【図１】本発明の実施の形態１におけるサブフィールド番号と各サブフィールドの輝度重み付けを示す図
【図２】本発明の実施の形態１における多階調画像表示装置の構成図
【図３】本発明の実施の形態１における入力画像信号の値とオン制御されるサブフィールドの関係を示す図
【図４】本発明の実施の形態２における多階調画像表示装置の構成図
【図５】本発明の実施の形態２におけるサブフィールド番号と各サブフィールドの輝度重み付けを示す図
【図６】本発明の実施の形態３における多階調画像表示装置の構成図
【図７】本発明の実施の形態３におけるサブフィールド番号と各サブフィールドの輝度重み付けを示す図
【図８】本発明の実施の形態３における入力画像信号の値とオン制御されるサブフィールドの関係を示す図
【図９】従来の画像表示装置における動画疑似輪郭の発生を説明する図
【図１０】２つのレベルが隣接したパターンをもつ画像の例を示す図
【図１１】従来の動画疑似輪郭の軽減方法におけるサブフィールド構成例を示す図
【符号の説明】
１  入力画像信号
２  読み出し専用メモリ
３  サブフィールド制御回路
４  プラズマディスプレイ
５，５１  静止画検出回路
６  動画検出回路
【図１】
0003577888.tif 000002
【図２】
0003577888.tif 000003
【図３】
0003577888.tif 000004
【図４】
0003577888.tif 000005
【図５】
0003577888.tif 000006
【図６】
0003577888.tif 000007
【図７】
0003577888.tif 000008
【図８】
0003577888.tif 000009
【図９】
0003577888.tif 000010
【図１０】
0003577888.tif 000011
【図１１】
0003577888.tif 000012